(57)【要約】【課題】透明板の裏面と外側・内側のガイドレールの前端縁との間の隙間から行なわれる不正行為を未然に防止するようにした遊技機の不正防止部材を提供する。【解決手段】ゴム、エラストマー等の弾性部材によって略帯状に成形され、内枠２に配設される遊技盤３の前面に配置したガイドレール４ａ，４ｂの前端縁に所定の範囲に亘り装着される遊技機の不正防止部材２３であって、基端側部の長手方向に沿って設けられガイドレール４ａ，４ｂの先端縁が嵌入する切込み溝２５を凹設した取付条部２４ｂと、先端側部の長手方向に沿って設けられ内枠２の前面に軸着した透明板保持枠１２を閉めたとき該透明板保持枠１２に装着された透明板１４の裏面に圧接する押圧条部２４ｃと、を備えて構成される。【選択図】図５
2007037800.tif 000002
【特許請求の範囲】
【請求項１】
ゴム、エラストマー等の弾性部材によって略帯状に成形され、内枠に配設される遊技盤の前面に配置したガイドレールの前端縁に所定の範囲に亘り装着される遊技機の不正防止部材であって、
基端側部の長手方向に沿って設けられ前記ガイドレールの前端縁が嵌入する切込み溝を凹設した取付条部と、先端側部の長手方向に沿って設けられ前記内枠の前面に軸着した透明板保持枠を閉めたとき該透明板保持枠に装着された透明板の裏面に圧接する押圧条部と、を備えてなることを特徴とする遊技機の不正防止部材。
【請求項２】
前記先端側部の押圧条部はその長手方向に対し直交する面における断面形状が中空パイプ状に成形されている請求項１記載の遊技機の不正防止部材。
【発明の詳細な説明】
【技術分野】
【０００１】
本発明は、遊技盤面に配置されるガイドレールの前端縁とこれと対向する透明板の裏面との間の隙間から行なわれる不正行為を防止するようにした遊技機の不正防止部材に関するものである。
【背景技術】
【０００２】
従来、遊技機の一種であるパチンコ遊技機は、内枠に配設される遊技盤の前面に遊技部を囲うようにして外側のガイドレールと内側のガイドレールとが渦巻状に敷設されている。遊技部には、例えば障害釘、風車、入賞口、大型の入賞装置等の盤面部品が装着される。また、前記内枠の前面には、遊技盤の前面を覆うようにして透明板保持枠が開閉自在に軸着される。透明板保持枠は遊技部が臨む窓開口を有し、該窓開口には該窓開口を塞ぐようにして前後一対の透明板が挿着されている（例えば、特許文献１参照。）。
【特許文献１】実開平６−８０４７５号公報（第４−５頁、図２）
【発明の開示】
【発明が解決しようとする課題】
【０００３】
ところで、前記特許文献１のパチンコ遊技機にあっては、透明板保持枠を閉めたとき、透明板の裏面と外側・内側のガイドレールの前端縁との間に僅かな隙間が生じる。そこで、パチンコ遊技機の前側であって下部球受皿の球排出口を介して溢れ球通路、ファール球排出通路内にピアノ線または「セル板」と称される合成樹脂製の薄い帯板等の不正具を這わせ、更に、前記透明板の裏面と特に内側のガイドレールの前端縁との間の隙間から遊技部に侵入させ、例えば、入賞装置の球入口を開閉する開閉扉を無理に開かせて故意に多くの入賞球を発生させるといった不正行為が行なわれるという課題がある。
【０００４】
そこで、本発明は上記課題を解決すべくなされたもので、透明板の裏面と外側・内側のガイドレールの前端縁との間の隙間から遊技部に不正具が侵入されないようにして、その隙間から行なわれる不正行為を未然に防止するようにした遊技機の不正防止部材を提供することを目的とするものである。
【課題を解決するための手段】
【０００５】
かかる目的を達成するため本発明に係る遊技機の不正防止部材は、ゴム、エラストマー等の弾性部材によって略帯状に成形され、内枠に配設される遊技盤の前面に配置したガイドレールの前端縁に所定の範囲に亘り装着される遊技機の不正防止部材であって、基端側部の長手方向に沿って設けられ前記ガイドレールの前端縁が嵌入する切込み溝を凹設した取付条部と、先端側部の長手方向に沿って設けられ前記内枠の前面に軸着した透明板保持枠を閉めたとき該透明板保持枠に装着された透明板の裏面に圧接する押圧条部と、を備えた構成からなる。
【０００６】
この際、前記先端側部の押圧条部はその長手方向に対し直交する面における断面形状が中空パイプ状に成形されていることが好ましい。
【発明の効果】
【０００７】
本発明に係る遊技機の不正防止部材は、基端側部の長手方向に沿って設けられガイドレールの前端縁が嵌入する切込み溝を凹設した取付条部と、先端側部の長手方向に沿って設けられ内枠の前側に軸着した透明板保持枠を閉めたとき該透明板保持枠に装着された透明板の裏面に圧接する押圧条部と、を備えてなるので、透明板保持枠を閉めたとき透明板の裏面に押圧条部が圧接してガイドレールの前端縁と透明板の裏面との間の隙間を密閉状に塞ぐ。これにより、前記隙間を介して遊技部に不正具を侵入させようとしても不正防止部材により阻まれ、前記隙間を介して行なわれる不正行為が未然に防止されるという効果がある。
【０００８】
また、前記透明板と対向する先端側部の押圧条部をその長手方向に対し直交する面における断面形状が中空パイプ状となるように成形すれば、その押圧条部の弾発力が増して透明板の裏面に対する圧接力が高められ、不正防止効果が向上する。
【発明を実施するための最良の形態】
【０００９】
以下、本発明に係る遊技機の不正防止部材（以下、単に「不正防止部材」という。）の実施の形態を図面に基づき説明する。なお、本発明はパチンコ遊技機、アレンジボール機または雀球遊技機等の遊技機に適用されるが、その内、その一例としてパチンコ遊技機について説明する。図１は本発明が適用されるパチンコ遊技機の正面図、図２は透明板保持枠を開いた状態の斜視図である。
【００１０】
パチンコ遊技機Ｐは、縦長方形状の外枠１の前側に内枠２が開閉自在に装着され、該内枠２に遊技盤３が配設されている。遊技盤３の前面には、外側・内側のガイドレール４ａ，４ｂが渦巻状に敷設して配置され、外側・内側のガイドレール４ａ，４ｂにより囲まれて遊技部３ａが成形されている。
【００１１】
前記遊技部３ａには、遊技部３ａを流下する遊技球の流れ方向をランダムに変化させ興趣のあるゲーム性を与える多くの障害釘５や風車６、一回の入賞により所定個数（例えば、１３個）の賞球が払い出される一般入賞口７、一度に多くの入賞球が発生し沢山の賞球が得られる大型の入賞装置８等の所謂盤面部品が配置される。内枠２の下部前面には、その一側に打球発射レール９が装着され、また、その先端がファール球排出口１０を介して前記外側のガイドレール４ａの基端側部と連なっている。打球発射レール９の発射部９ａには、発射装置に組み込まれた打球槌１１の先端が臨むようになっている。
【００１２】
一方、前記内枠２の前側に遊技盤３の前面を覆う透明板保持枠１２が開閉自在に軸着される。透明板保持枠１２は、その中央に前記遊技盤３前面の遊技部３ａが臨む窓開口１３が開設され、該窓開口１３に透明板である一対の合成樹脂製の透明板１４が装着される。なお、前記透明板１４はガラス製であっても良い。透明板保持枠１２の下方に同じく前板１６が開閉自在に装着される。この前板１６の前面には、前記打球発射レール９の発射部９ａに供給される賞球または貸し球としての遊技球を貯留するための上部球受皿１７が装着される。
【００１３】
前記内枠２の下部前面に、前記上部球受皿１７から溢れる遊技球を貯留するための下部球受皿１８が装着される。また、その一側に前記打球槌１１による打球の発射力を調整するための操作ハンドル１９が装着される。図示は省略するが、前記内枠２に開設され上部球受皿１７に賞球または貸し球としての遊技球を払い出す球払出口２０と下部球受皿１８に溢れ球を排出する球排出口２１とは溢れ球排出通路により連なっており、しかも、前記ファール球排出口１０はファール球排出通路を介して前記溢れ球排出通路と連通している。
【００１４】
そこで、発射部９ａから発射された打球は外側のガイドレール４ａと内側のガイドレール４ｂとの間の球飛走通路２２を通って遊技部３ａに打ち込まれることになる。その内、一般入賞口７に打球が入賞すると、球払出装置（図示せず。）から所定量の賞球としての遊技球が払い出される。これら賞球は球払出口２０を介して上部球受皿１７に貯留される。一方、打ち出されても前記遊技部３ａに到達しなかった打球は、ファール球として球飛走通路２２を戻りファール球排出口１０からファール球排出通路に落下し、溢れ球通路、球排出口２１を介して下部球受皿１８に排出される。
【００１５】
このように、球排出口２１とファール球排出口１０とは繋がっている。また、外側・内側のガイドレール４ａ，４ｂの前端縁とこれと対向する透明板保持枠１２の透明板１４裏面との間には僅かな隙間ｔが生じている。そこで、例えば、パチンコ遊技機Ｐの前側からピアノ線またはセル板といった不正具を前記球排出口２１内に挿入し、溢れ球通路、ファール球排出通路を介してファール球排出口１０から上方へ這わせ、更に、前記内側のガイドレール４ｂの前端縁と透明板１４の裏面との間の隙間ｔから遊技部３ａ内に不正具を侵入させて不正行為を行なうおそれがある。
【００１６】
そこで、本発明は、前記不正行為を防止すべく前記内側のガイドレール４ｂの前端縁に不正防止部材２３を装着するようにした。この不正防止部材２３は例えばエラストマー製であって比較的強い弾力性を有し、図３、図４に示すように所定の長さを有し略帯状に成形される。更に詳しく説明すると、自然の状態で幅寸法が前記内側のガイドレール４ｂの前端縁と透明板１４裏面との間の隙間ｔよりも長く設定される。ただ、不正防止部材２３は内側のガイドレール４ｂに装着されるほか、外側のガイドレール４ａに装着するようにしても良いことから、前記不正防止部材２３はその幅寸法が、外側・内側のガイドレール４ａ，４ｂの一側面に沿って転動する遊技球の支障にならないような範囲で設定される。
【００１７】
不正防止部材２３は、平板帯状の胴部２４ａの後側にその長手方向に沿って前記内側のガイドレール１４ｂの先端縁が嵌入する取付条部２４ｂが一体に設けられ、前記胴部２４ａの前側にその長手方向に沿って透明板１４の裏面に圧接する押圧条部２４ｃが一体に設けられる。もう少し詳しく説明すると、前記基端側部である取付条部２４ｂは、後端面に内側のガイドレール４ｂの前端縁が嵌入する切込み溝２５が凹設される。一方、先端側部である押圧条部２４ｃは、その長手方向に対し直交する面における断面形状が中空円パイプ状に成形され、その外径寸法は胴部２４ａの厚み寸法よりも長く設定される。このように、押圧条部２４ｃを中空円パイプ状に成形したのは透明板１４の裏面に不正防止部材２３が強く圧接される必要があることから、その弾発力を高めるためである。
【００１８】
また、不正防止部材２３は切込み溝２５を内側のガイドレール４ｂの前端縁に嵌合するのみで装着でき、また、その取外しも容易に行なえることから、取付・取外作業、更には交換作業が簡単に行なえる。
【００１９】
本発明に係る不正防止部材２３は上記構成からなり、例えば、透明板保持枠１２を開けた状態で、図５（イ）に示すように取付条部２４ｂの切込み溝２５に内側のガイドレール４ｂの前端縁を嵌入させることにより、図２に示すように内側のガイドレール４ｂの前端縁に所定の範囲すなわち下部３分の２の範囲に亘って装着される。そして、透明板保持枠１２を閉じた状態では、図５（ロ）に示すように不正防止部材２３の先端側部の押圧条部２４ｃが潰れたように変形して透明板１４の裏面に圧接する。これにより、内側のガイドレール４ｂと透明板１４の裏面との間の隙間ｔが隙間なくしっかりと塞がれる。よって、図５（ロ）に示すように前記隙間ｔを介して遊技部３ａへ不正具Ｈを侵入させようとしても、不正防止部材２３により阻まれ、前記隙間ｔを介して行なわれる不正行為が未然に防止される。
【００２０】
この際、特に、不正防止部材２３の押圧条部２４ｃがその長手方向に沿って中空円パイプ状に成形されていることから、透明板１４の裏面に圧接したときもその弾発力が増して圧接力が高められ、不正防止効果が向上する。
【００２１】
本発明においては、内側のガイドレール４ｂの下部３分の２の範囲に亘り不正防止部材２３を装着するようにしたがこれに限られるものではなく、外側のガイドレール４ａに装着しても良く、その範囲も自由に選択できる。所定範囲に亘りとは、不正行為を行なうため不正具Ｈが侵入するであろうとする範囲であって予め予測して決められる。よって、その範囲が時と共に変われば、その範囲を変更しても良い。
【００２２】
ここで、他の実施の形態に係る不正防止部材を説明する。図６（イ）の不正防止部材２３ａは、押圧条部２４ｃの断面形状が菱形をなす中空パイプ状に成形されている。図６（ロ）の不正防止部材２３ｂは、押圧条部２４ｃの断面形状が正六角形をなす中空パイプ状に成形され、しかも、その先端面２６が不正防止部材２３ｂの短手方向に対し直交するように位置している。よって、このような構成とすることにより、透明板１４の裏面にその先端面２６が圧接することになり密閉性が強まる。
なお、前記中空状の断面形状は例示したものに限らず他の形状であっても良い。
【００２３】
図６（ハ）の不正防止部材２３ｃは、押圧条部２４ｃの断面形状が中空パイプ状ではなく、押圧条部２４ｃ先端に上下一対の突出片２７，２７が先端に向かて突設されている。また、両突出片２７，２７の先端には、対向する面が互いに対称となるように内側へ傾斜する傾斜面２８，２８が設けられる。この場合は、前記上下の傾斜面２８，２８が共に透明板１４の裏面に圧接することとなるので、これにより透明板１４裏面との接触面積が広くなり密閉性が高まる。
【００２４】
以上説明した不正防止部材２３，２３ａ乃至２３ｃは、いずれも構成が簡単であって押出し成形により成形することができるので、成形が容易であるばかりか製品コストも低廉になし得、しかも外側・内側のガイドレール４ａ，４ｂに対する取付・取外作業も容易に行なえる。また、不正防止部材２３，２３ａ乃至２３ｃの材質は、比較的強い弾力性を備えていれば、他に天然ゴムまたは合成ゴムを素材に使用しても良いこと勿論である。
【図面の簡単な説明】
【００２５】
【図１】本発明が適用されるパチンコ遊技機の正面図。
【図２】同透明板保持枠を開いた状態の斜視図。
【図３】不正防止部材の斜視図。
【図４】図３のＸ−Ｘ拡大線断面図。
【図５】（イ）は不正防止部材を装着する状態を示す要部の側面断面図、（ロ）は同装着した状態を示す要部の側面断面図。
【図６】（イ）（ロ）（ハ）は他の実施の形態に係る不正防止部材の横断面図。
【符号の説明】
【００２６】
２                  内枠
３                  遊技盤
４ａ                外側のガイドレール
４ｂ                内側のガイドレール
１２                透明板保持枠
１４                透明板
２３                不正防止部材
２３ａ〜２３ｃ      不正防止部材
２４ｂ              取付条部
２４ｃ              押圧条部
２５                切込み溝
Ｐ                  遊技機（パチンコ遊技機）
【図１】
2007037800.tif 000003
【図２】
2007037800.tif 000004
【図３】
2007037800.tif 000005
【図４】
2007037800.tif 000006
【図５】
2007037800.tif 000007
【図６】
2007037800.tif 000008